(57)【要約】【課題】  不安定な姿勢で把持されて使用されたときに、ユーザによって意図しないタッチ操作が行われた場合であっても、意図しない処理が実行されてしまうのを防止することができる携帯端末装置、プログラムおよび記録媒体を提供する。【解決手段】  携帯端末装置（１）は、タッチセンサ（１２２）によって検出された、タッチ操作に対応する電気的特性の変化量が、姿勢検出部（１１）によって検出された回動角度に基づいて設定された座標出力閾値以上の場合に、座標出力部（１６１）によってタッチ操作に対応した座標が出力され、その出力された座標に基づいた画像が表示部（１２１）の表示面（１２１ａ）に表示されるように構成されている。【選択図】      図１
2015018339.tif 000002
【特許請求の範囲】
【請求項１】
画像を表示可能な矩形状の表示面を有する表示部と、
前記表示部の姿勢が、前記表示面を上方に向けた水平姿勢から、前記表示面の長手方向に平行な第１軸線、および該第１軸線に垂直かつ表示面に平行な第２軸線まわりに回動して変位姿勢に変化したときの、第１軸線まわりの第１の回動角度と、第２軸線まわりの第２の回動角度とを検出する姿勢検出部と、
前記表示面に対するタッチ操作によって該表示面に生じる電気的特性の変化量を検出するタッチ操作検出部と、
前記表示部の第１軸線および第２軸線まわりの回動角度と、該回動角度に対応して設定すべき電気的特性の変化量の基準となる特性基準値とを関連付けて予め記憶する記憶部と、
前記姿勢検出部によって前記第１および第２の回動角度が検出されると、検出された第１および第２の回動角度のうちの大きい方の回動角度に対応した特性基準値を、前記記憶部から取得する特性基準値取得部と、
前記タッチ操作検出部によって電気的特性の変化量が検出されると、検出された電気的特性の変化量が、前記特性基準値取得部によって取得された特性基準値以上の場合には、前記表示面に対してタッチ操作された位置を表す座標を出力する座標出力実行部と、
前記座標出力実行部によって出力された座標に対応した予め定められる画像表示処理を実行し、該画像表示処理に応じた画像を前記表示面に表示させる表示制御部と、を備えることを特徴とする携帯端末装置。
【請求項２】
前記回動角度が大きくなるに連れて、前記特性基準値が大きくなるように、該回動角度と該特性基準値とが関連付けられていることを特徴とする請求項１に記載の携帯端末装置。
【請求項３】
前記タッチ操作検出部は、前記電気的特性の変化量として、前記表示面に生じる静電容量の変化量を検出することを特徴とする請求項１または２に記載の携帯端末装置。
【請求項４】
コンピュータを、請求項１〜３のいずれか１つに記載の携帯端末装置として機能させるためのプログラム。
【請求項５】
請求項４に記載のプログラムを記録したコンピュータ読取可能な記録媒体。
【発明の詳細な説明】
【技術分野】
【０００１】
本発明は、携帯端末装置、プログラムおよび記録媒体に関する。
【背景技術】
【０００２】
近年、スマートフォンやタブレット端末などの携帯端末装置は、タッチパネルの搭載が急速に進んでいる。携帯端末装置に搭載されるタッチパネルは、ユーザによってタッチ操作される表示面を有し、その表示面に画像を表示する表示部と、該表示部に重畳されたタッチセンサとを備える。ユーザによってタッチパネルに対するタッチ操作がなされた場合に、そのタッチ操作に対応する表示処理が実行される。
【０００３】
タッチパネルが搭載された携帯端末装置は、薄型化が進む一方で、視認性および操作性の向上を目的に、タッチパネルの広面積化が進んでいる。このように、装置本体の大きさに占めるタッチパネルの面積の割合が増加すると、ユーザが携帯端末装置を把持してタッチパネルに対するタッチ操作を行う際に、把持した手の指が意図せずにタッチパネルに触れてしまう可能性が増大する。このように、ユーザが意図しないタッチ操作が行われると、そのタッチ操作に対応する、意図しない表示処理が実行されてしまう。
【０００４】
このような問題を解決する技術として、特許文献１には、タッチ検出手段と、表示手段上の特定の領域へのタッチの継続時間を計時する計時手段と、表示手段上へのタッチが離されるタッチアップを検出するタッチアップ検出手段と、制御手段とを有する情報処理装置が開示されている。特許文献１に開示される情報処理装置によれば、制御手段は、特定のモードで前記特定の領域へのタッチを検出していた状態からタッチアップを検出した際に、特定の領域へのタッチ継続時間が所定時間に達していた場合には、該タッチアップに応じては前記特定の領域に割り当てられた機能を実行せず、特定のモードでない場合には、前記特定の領域へのタッチを検出していた状態からタッチアップを検出した際に、前記特定の領域へのタッチの継続時間が所定時間に達していても、前記特定の領域に割り当てられた機能を実行するように制御する。
【０００５】
特許文献１に開示される情報処理装置は、表示手段上の特定の領域へのタッチ継続時間が所定時間に達していた場合に、特定の領域に割り当てられた機能を実行しないように構成されているので、装置本体を把持した手の指が表示手段上の特定の領域に接触し続けていたとしても、そのタッチ操作をユーザが意図しないタッチ操作であると見なして、該タッチ操作に対応した処理を実行しないようにすることができる。
【先行技術文献】
【特許文献】
【０００６】
【特許文献１】特開２０１３−４７９７３号公報
【発明の概要】
【発明が解決しようとする課題】
【０００７】
ユーザが、携帯端末装置が不安定な姿勢で、携帯端末装置を片手あるいは両手で把持してタッチパネルに対するタッチ操作を行う場合がある。携帯端末装置が把持されている姿勢が、矩形状の表示面を上方に向けた水平の水平姿勢から、たとえば、表示面の長手方向に垂直な軸線まわりに回動して、表示面が水平に対して垂直な変位姿勢に変化すれば、しっかりと把持しないと、携帯端末装置が落下する可能性が増大するので、このような変位姿勢で把持されている場合には携帯端末装置が不安定な姿勢で把持されていると言える。
【０００８】
薄型化され、かつタッチパネルが広面積化された携帯端末装置を、不安定な姿勢で把持してユーザが使用する場合、携帯端末装置を落下させないように持ち直したりしたときに、タッチパネルに対して瞬間的な意図しないタッチ操作をしてしまう場合がある。特許文献１に開示される技術は、タッチ継続時間が所定時間に達していた場合に、そのタッチ操作に対応した処理を実行しないように構成されているので、前記のような、瞬間的な意図しないタッチ操作が行われた場合には、そのタッチ操作に対応して意図しない処理が実行されることになる。
【０００９】
すなわち、特許文献１に開示される技術では、不安定な姿勢で把持されて使用された場合の、ユーザによって意図しないタッチ操作が行われることが想定されておらず、このような場合には意図しない処理が実行されてしまう。
【００１０】
本発明の目的は、不安定な姿勢で把持されて使用されたときに、ユーザによって意図しないタッチ操作が行われた場合であっても、意図しない処理が実行されてしまうのを防止することができる携帯端末装置、プログラムおよび記録媒体を提供することである。
【課題を解決するための手段】
【００１１】
本発明は、画像を表示可能な矩形状の表示面を有する表示部と、
前記表示部の姿勢が、前記表示面を上方に向けた水平姿勢から、前記表示面の長手方向に平行な第１軸線、および該第１軸線に垂直かつ表示面に平行な第２軸線まわりに回動して変位姿勢に変化したときの、第１軸線まわりの第１の回動角度と、第２軸線まわりの第２の回動角度とを検出する姿勢検出部と、
前記表示面に対するタッチ操作によって該表示面に生じる電気的特性の変化量を検出するタッチ操作検出部と、
前記表示部の第１軸線および第２軸線まわりの回動角度と、該回動角度に対応して設定すべき電気的特性の変化量の基準となる特性基準値とを関連付けて予め記憶する記憶部と、
前記姿勢検出部によって前記第１および第２の回動角度が検出されると、検出された第１および第２の回動角度のうちの大きい方の回動角度に対応した特性基準値を、前記記憶部から取得する特性基準値取得部と、
前記タッチ操作検出部によって電気的特性の変化量が検出されると、検出された電気的特性の変化量が、前記特性基準値取得部によって取得された特性基準値以上の場合には、前記表示面に対してタッチ操作された位置を表す座標を出力する座標出力実行部と、
前記座標出力実行部によって出力された座標に対応した予め定められる画像表示処理を実行し、該画像表示処理に応じた画像を前記表示面に表示させる表示制御部と、を備えることを特徴とする携帯端末装置である。
【００１２】
また本発明の携帯端末装置において、前記回動角度が大きくなるに連れて、前記特性基準値が大きくなるように、該回動角度と該特性基準値とが関連付けられていることを特徴とする。
【００１３】
また本発明の携帯端末装置において、前記タッチ操作検出部は、前記電気的特性の変化量として、前記表示面に生じる静電容量の変化量を検出することを特徴とする。
【００１４】
また本発明は、コンピュータを、前記携帯端末装置として機能させるためのプログラムである。
【００１５】
また本発明は、前記プログラムを記録したコンピュータ読取可能な記録媒体である。
【発明の効果】
【００１６】
本発明によれば、携帯端末装置は、画像を表示可能な矩形状の表示面を有する表示部と、姿勢検出部と、タッチ操作検出部と、記憶部と、特性基準値取得部と、座標出力実行部と、表示制御部とを備える。姿勢検出部は、表示部の姿勢が、表示面を上方に向けた水平姿勢から、表示面の長手方向に平行な第１軸線、および該第１軸線に垂直かつ表示面に平行な第２軸線まわりに回動して変位姿勢に変化したときの、第１軸線まわりの第１の回動角度と、第２軸線まわりの第２の回動角度とを検出する。タッチ操作検出部は、表示面に対するタッチ操作によって表示面に生じる電気的特性の変化量を検出する。記憶部は、表示部の第１軸線および第２軸線まわりの回動角度と、該回動角度に対応して設定すべき電気的特性の変化量の基準となる特性基準値とを関連付けて予め記憶する。特性基準値取得部は、姿勢検出部によって第１および第２の回動角度が検出されると、記憶部に記憶される関連情報を参照して、検出された第１および第２の回動角度のうちの大きい方の回動角度に対応した特性基準値を、記憶部から取得する。座標出力実行部は、タッチ操作検出部によって電気的特性の変化量が検出されると、検出された電気的特性の変化量が、特性基準値取得部によって取得された特性基準値以上の場合には、表示面に対してタッチ操作された位置を表す座標を出力する。そして、表示制御部は、座標出力実行部によって出力された座標に対応した予め定められた画像表示処理を実行し、該画像表示処理に応じた画像を表示面に表示させる。
【００１７】
このように構成される本発明の携帯端末装置では、タッチ操作検出部によって検出された、タッチ操作に対応する電気的特性の変化量が、姿勢検出部によって検出された回動角度と関連付けられた特性基準値以上の場合に、タッチ操作に対応した座標が出力され、その出力された座標に応じた画像表示処理が実行される。すなわち、本発明の携帯端末装置では、表示面を上方に向けた水平姿勢から、不安定な姿勢の変位姿勢に変化したときの回動角度に応じて、タッチ操作に対応した座標が出力され、その出力された座標に基づいて、タッチ操作に対応した画像表示処理が実行される。したがって、携帯端末装置が不安定な変位姿勢で把持されて使用され、たとえば、携帯端末装置を落下させないように持ち直したりしたときに、表示面に対して瞬間的な意図しないタッチ操作が行われた場合であっても、意図しない処理が実行されてしまうのを防止することができる。
【００１８】
また本発明によれば、回動角度が大きくなるに連れて、特性基準値が大きくなるように、回動角度と特性基準値とが関連付けられている。姿勢検出部によって検出された回動角度と関連付けられた特性基準値を記憶部から取得する特性基準値取得部は、前記のように関連付けられた情報を参照することによって、姿勢検出部によって検出された回動角度が大きくなるに連れて、大きな値に設定された特性基準値を取得することになる。水平姿勢からの回動角度が大きくなるに連れて、携帯端末装置が落下してしまう可能性が高くなり、これに伴って、表示面に対して瞬間的な意図しないタッチ操作が行われる可能性が高まる。そこで、姿勢検出部によって検出された回動角度が大きくなるに連れて、大きな値に設定された特性基準値を特性基準値取得部が取得することによって、意図しないタッチ操作が行われる可能性が高くなることに応じて、意図しない画像表示処理が実行されてしまうのをより確実に防止することができる。
【００１９】
また本発明によれば、タッチ操作検出部は、電気的特性の変化量として、表示面に生じる静電容量の変化量を検出するように構成されている。このように構成される携帯端末装置では、タッチ操作検出部によって検出された、タッチ操作に対応する静電容量の変化量が、姿勢検出部によって検出された回動角度に基づいて設定された座標出力閾値以上の場合に、タッチ操作に対応した座標が出力され、その出力された座標に基づいた画像を表示部の表示面に表示させることができる。
【図面の簡単な説明】
【００２０】
【図１】本発明の一実施形態に係る携帯端末装置１の構成を示すブロック図である。
【図２】携帯端末装置１の構成を概略的に示す斜視図である。
【図３】携帯端末装置１の姿勢変化を説明するための図である。
【図４】制御部１６が誤操作防止制御プログラムを実行することによって行われる誤操作防止制御処理の処理手順を示すフローチャートである。
【発明を実施するための形態】
【００２１】
図１は、本発明の一実施形態に係る携帯端末装置１の構成を示すブロック図である。図２は、携帯端末装置１の構成を概略的に示す斜視図である。図３は、携帯端末装置１の姿勢変化を説明するための図である。本実施形態に係る携帯端末装置１は、薄型化され、かつ、ユーザによってタッチ操作される表示面１２１ａが広面積化された、スマートフォンやタブレット端末などからなる装置であり、姿勢検出部１１と、タッチパネル１２と、移動体通信モジュール１３と、音声処理部１４と、記憶部１５と、制御部１６とを含んで構成される。
【００２２】
タッチパネル１２は、ユーザによってタッチ操作される矩形状の表示面１２１ａを有し、その表示面１２１ａが外部に露出するように、筐体１７内に収容されている。タッチパネル１２は、その表示面１２１ａに画像データに応じた画像を表示する表示部１２１と、表示部１２１に重畳されたタッチセンサ１２２とを有する。表示部１２１は、たとえば液晶パネルおよびバックライトを備える液晶ディスプレイ装置や、有機ＥＬ（Electro-Luminescence）ディスプレイ装置などの公知の表示装置によって実現される。
【００２３】
タッチセンサ１２２は、タッチ操作検出部として機能するものであり、投影型静電容量方式のセンサや、抵抗膜方式のセンサによって実現される。タッチセンサ１２２が投影型静電容量方式のセンサによって実現される場合、ユーザによって表示面１２１ａに対してタッチ操作されたときに、表示面１２１ａに対してマトリクス状に配置される複数の電極について、ユーザの指先（またはスタイラスなど）と電極との間の静電容量の変化量を、表示面１２１ａに生じる電気的特性の変化量として検出し、その検出結果を制御部１６へ出力する。また、タッチセンサ１２２が、第１抵抗膜体と第２抵抗膜体とが互いに間隔をあけて対向配置される抵抗膜方式のセンサによって実現される場合、ユーザによって表示面１２１ａに対してタッチ操作されて第１抵抗膜体が押圧され、第１抵抗膜体と第２抵抗膜体とが相互に接触したときに、この接触による電圧の変化量を、表示面１２１ａに生じる電気的特性の変化量として検出し、その検出結果を制御部１６へ出力する。本実施形態では、タッチセンサ１２２は、投影型静電容量方式のセンサによって実現されていることが好ましい。
【００２４】
姿勢検出部１１は、加速度センサによって実現され、ユーザによって携帯端末装置１が片手あるいは両手で把持されて、表示面１２１ａに対するタッチ操作が行われる場合の、表示部１２１の姿勢、すなわち、タッチパネル１２の姿勢であり、携帯端末装置１自身の姿勢の姿勢変化量を検出する。姿勢検出部１１は、表示部１２１の姿勢が、表示面１２１ａを鉛直上方に向けた、該表示面１２１ａが水平の水平姿勢から、所定の軸線まわりに回動して変位姿勢に変化したときの回動角度を姿勢変化量として検出し、その検出結果を制御部１６へ出力する。具体的には、表示面１２１ａの長手方向に平行な軸線を第１軸線Ｌ１とし、前記第１軸線Ｌ１を含む水平な仮想一平面上で前記長手方向に垂直な軸線を第２軸線Ｌ２としたとき、姿勢検出部１１は、表示部１２１の姿勢が変化したときの、第１軸線Ｌ１まわりの第１の回動角度と、第２軸線Ｌ２まわりの第２の回動角度とを検出するように構成されている。
【００２５】
姿勢検出部１１は、表示面１２１ａを鉛直上方に向けた水平姿勢から、第１軸線Ｌ１まわりに回動する第１変位をして、変位姿勢に変化したときには、第１軸線Ｌ１まわりの第１の回動角度を検出し、第２軸線Ｌ２まわりの第２の回動角度＝「０°」を検出して、その検出した第１および第２の回動角度のうちの大きい方の第１の回動角度を、検出結果として制御部１６へ出力する。このとき、たとえば、姿勢検出部１１は、表示部１２１の姿勢が、表示面１２１ａを鉛直上方に向けた水平姿勢から第１軸線Ｌ１まわりに回動することなく、前記水平姿勢を保持していれば、第１の回動角度＝「０°」，第２の回動角度＝「０°」を検出し、前記水平姿勢から第１軸線Ｌ１まわりに回動し、水平面に対して垂直な変位姿勢に変化した場合には第１の回動角度＝「９０°」，第２の回動角度＝「０°」を検出し、前記水平姿勢から第１軸線Ｌ１まわりに回動し、表示面１２１ａを鉛直下方に向けた変位姿勢に変化した場合には第１の回動角度＝「１８０°」，第２の回動角度＝「０°」を検出する。
【００２６】
また、姿勢検出部１１は、表示面１２１ａを鉛直上方に向けた水平姿勢から、第２軸線Ｌ２まわりに回動する第２変位をして、変位姿勢に変化したときには、第１軸線Ｌ１まわりの第１の回動角度＝「０°」を検出し、第２軸線Ｌ２まわりの第２の回動角度を検出して、その検出した第１および第２の回動角度のうちの大きい方の第２の回動角度を、検出結果として制御部１６へ出力する。このとき、たとえば、姿勢検出部１１は、表示部１２１の姿勢が、表示面１２１ａを鉛直上方に向けた水平姿勢から第２軸線Ｌ２まわりに回動することなく、前記水平姿勢を保持していれば、第１の回動角度＝「０°」，第２の回動角度＝「０°」を検出し、前記水平姿勢から第２軸線Ｌ２まわりに回動し、水平面に対して垂直な変位姿勢に変化した場合には第１の回動角度＝「０°」，第２の回動角度＝「９０°」を検出し、前記水平姿勢から第２軸線Ｌ２まわりに回動し、表示面１２１ａを鉛直下方に向けた変位姿勢に変化した場合には第１の回動角度＝「０°」，第２の回動角度＝「１８０°」を検出する。
【００２７】
また、表示部１２１の姿勢が、表示面１２１ａを鉛直上方に向けた水平姿勢から、第１軸線Ｌ１まわりに回動する前記第１変位と、第２軸線Ｌ２まわりに回動する前記第２変位とが合成された第３変位をして、変位姿勢に変化したときには、姿勢検出部１１は、第１軸線Ｌ１まわりの第１の回動角度および第２軸線Ｌ２まわりの第２の回動角度を検出し、その検出した第１および第２の回動角度のうちの大きい方の回動角度を、検出結果として制御部１６へ出力するように構成されている。
【００２８】
なお、姿勢検出部１１は、「１８０°」を超える回動角度を検出した場合には、検出された回動角度を３６０°から差し引いた値（［３６０°−（検出された回動角度）］）を、検出結果として制御部１６へ出力するように構成されている。
【００２９】
移動体通信モジュール１３は、たとえばＩＭＴ−２０００（International Mobile Telecommunications 2000）規格に準拠した第３世代移動通信システムなどの移動体通信システムによる無線通信を実行する無線通信デバイスである。移動体通信モジュール１３は、移動体通信のセルラーネットワークの無線基地局との間で無線接続を確立することによって、ＣＤＭＡ（Code Division Multiple Access）などの方式によって無線通信を行う。
【００３０】
音声処理部１４は、携帯端末装置１の電話機能により通話を行うための音声の入出力インターフェイスであり、受話口に設けられるスピーカ１４１、および、送話口に設けられるマイクロホン１４２が接続され、スピーカ１４１を介して音声を出力し、マイクロホン１４２を介して音声を入力する。音声処理部１４は、通話相手などから受信した受話音声データ（デジタル信号）を、音声復号部で復号した後、ＤＡ変換器でデジタル信号からアナログ信号に変換し、増幅器で信号増幅した後、スピーカ１４１から出力する。また、音声処理部１４は、ユーザが発した送話音声を、マイクロホン１４２により電気信号に変換し、増幅器で信号増幅した後、ＡＤ変換器でアナログ信号からデジタル信号に変換する。
【００３１】
記憶部１５は、フラッシュメモリなどの半導体メモリによって実現され、携帯端末装置１の基本的な機能を実現するオペレーティングシステム（ＯＳ：Operating System）プログラムが記憶されるとともに、電話機能を実現するための電話プログラム、電子メール機能を実現するメールプログラム、電話帳機能を実現するための電話帳プログラム、メモ帳機能を実現するためのメモ帳プログラム、およびＷｅｂブラウジング機能を実現するブラウザプログラムなどの種々のアプリケーションプログラムが記憶される。
【００３２】
本実施形態では、この記憶部１５には、コンピュータを携帯端末装置１として機能させるためのプログラムであり、後述する誤操作防止制御処理を実行するためのプログラム（以下、「誤操作防止制御プログラム」と称する）が記憶されている。なお、誤操作防止制御処理とは、ユーザが意図しないタッチ操作が表示面１２１ａに対して行われたときに、意図しない処理が実行されてしまう誤操作を防止することが可能な処理である。また、誤操作防止制御プログラムは、携帯端末装置１に予めインストールされていてもよく、または、インターネットからダウンロードするなどして取得し、インストールされてもよい。
【００３３】
制御部１６は、携帯端末装置１の各部の動作を制御する処理部であり、たとえばＣＰＵ（Central Processing Unit）、ＲＯＭ（Read Only Memory）およびＲＡＭ（Random Access Memory）によって実現される。制御部１６は、記憶部１５からＲＡＭにロードされるオペレーティングシステムプログラムおよびアプリケーションプログラムを実行するとともに、誤操作防止制御プログラムを実行する。
【００３４】
制御部１６は、座標出力部１６１と、表示制御部１６２とを含んで構成される。制御部１６は、誤操作防止制御プログラムを実行することによって、本発明における座標出力部１６１および表示制御部１６２として機能する。
【００３５】
座標出力部１６１は、表示面１２１ａに対してタッチ操作された位置を表す座標を出力する部分であって、特性基準値取得部として機能する座標出力閾値設定部１６１ａと、座標出力実行部１６１ｂとを含んで構成される。
【００３６】
座標出力閾値設定部１６１ａは、姿勢検出部１１によって、第１軸線Ｌ１まわりの第１の回動角度、および第２軸線Ｌ２まわりの第２の回動角度が検出されると、記憶部１５に予め記憶されている後述の座標出力閾値テーブル（関連情報）を参照して、検出された第１および第２の回動角度のうちの大きい方の回動角度と関連付けられた特性基準値である座標出力閾値を、座標を出力するための閾値として設定する。
【００３７】
本実施形態では、上述のように、姿勢検出部１１は、表示面１２１ａを鉛直上方に向けた水平姿勢から、第１軸線Ｌ１まわりに回動する第１変位をして変位姿勢に変化したときには、第１軸線Ｌ１まわりの第１の回動角度を検出し、第２軸線Ｌ２まわりの第２の回動角度＝「０°」を検出するように構成されているので、この場合には、座標出力閾値設定部１６１ａは、第１および第２の回動角度のうちの大きい方の第１の回動角度と関連付けられた座標出力閾値を、座標を出力するための閾値として設定する。
【００３８】
また、姿勢検出部１１は、表示面１２１ａを鉛直上方に向けた水平姿勢から、第２軸線Ｌ２まわりに回動する第２変位をして変位姿勢に変化したときには、第１軸線Ｌ１まわりの第１の回動角度＝「０°」を検出し、第２軸線Ｌ２まわりの第２の回動角度を検出するように構成されているので、この場合には、座標出力閾値設定部１６１ａは、第１および第２の回動角度のうちの大きい方の第２の回動角度と関連付けられた座標出力閾値を、座標を出力するための閾値として設定する。
【００３９】
さらにまた、姿勢検出部１１は、表示面１２１ａを鉛直上方に向けた水平姿勢から、第１軸線Ｌ１まわりに回動する前記第１変位と、第２軸線Ｌ２まわりに回動する前記第２変位とが合成された第３変位をして、変位姿勢に変化したときには、第１の回動角度および第２の回動角度のうち、大きい方の回動角度を制御部１６へ出力するように構成されているので、この場合には、座標出力閾値設定部１６１ａは、前記大きい方の回動角度と関連付けられた座標出力閾値を、座標を出力するための閾値として設定する。
【００４０】
また、本実施形態では、後述の座標出力閾値テーブルは、表示部１２１の第１軸線Ｌ１および第２軸線Ｌ２まわりの回動角度と、該回動角度に対応して設定すべき電気的特性（静電容量など）の変化量の基準となる特性基準値である座標出力閾値とが関連付けられた関連情報である。この座標出力閾値テーブルは、回動角度が大きくなるに連れて、座標出力閾値が大きくなるように、回動角度と座標出力閾値とが関連付けられている。このような座標出力閾値テーブルを参照して、回動角度と関連付けられた座標出力閾値を設定する座標出力閾値設定部１６１ａは、姿勢検出部１１によって検出された回動角度が大きくなるに連れて、座標出力閾値を段階的または連続的に大きな値に設定することになる。座標出力閾値設定部１６１ａは、たとえば、表１に示される、回動角度の大きさに応じて複数に区分される変位姿勢のレベルと、座標出力閾値とが関連付けられた座標出力閾値テーブルを参照して、姿勢検出部１１によって検出された回動角度に応じた座標出力閾値を設定する。
【００４１】
【表１】
2015018339.tif 000003
【００４２】
表１に示される座標出力閾値テーブルは、記憶部１５に予め記憶されている。この座標出力閾値テーブルを参照して座標出力閾値を設定する場合、座標出力閾値設定部１６１ａは、姿勢検出部１１によって検出された第１および第２の回動角度のうちの大きい方の回動角度が０°以上４５°以下である場合（変位姿勢のレベルが「レベル１」である場合）には、座標出力閾値として、タッチセンサ１２２によって検出される静電容量に対応する電流値「１０ｍＡ」を設定する。以下同様に、座標出力閾値設定部１６１ａは、前記大きい方の回動角度が４５°を超えて９０°以下である場合（「レベル２」である場合）には、座標出力閾値として電流値「２０ｍＡ」を設定し、前記大きい方の回動角度が９０°を超えて１３５°以下である場合（「レベル３」である場合）には、座標出力閾値として電流値「３０ｍＡ」を設定し、前記大きい方の回動角度が１３５°を超えて１８０°以下である場合（「レベル４」である場合）には、座標出力閾値として電流値「４０ｍＡ」を設定する。
【００４３】
表１に示す座標出力閾値テーブルは、表示部１２１の回動角度に応じて変位姿勢のレベルが「レベル１」から「レベル４」に、４段階に区分されたものであるが、これに限定されるものではなく、変位姿勢のレベルが４段階未満または４段階を超える段階に区分されたテーブルを用いてもよい。
【００４４】
また、表１に示す座標出力閾値テーブルは、タッチセンサ１２２が投影型静電容量方式のセンサである場合を想定して、タッチセンサ１２２によって検出される静電容量に対応する電流値と、変位姿勢のレベルとが関連付けられたテーブルであるが、これに限定されるものではなく、タッチセンサ１２２が抵抗膜方式のセンサである場合には、第１抵抗膜体と第２抵抗膜体とが相互に接触したときの電圧の変化量に対応する電気的特性と、変位姿勢のレベルとが関連付けられたテーブルとすればよい。
【００４５】
また、座標出力閾値設定部１６１ａが、表１に示す座標出力閾値テーブルを参照して座標出力閾値を設定する場合、姿勢検出部１１によって検出された回動角度が大きくなるに連れて、座標出力閾値が段階的に大きな値に設定されることになるが、これに限定されるものではなく、座標出力閾値設定部１６１ａは、姿勢検出部１１によって検出された回動角度が大きくなるに連れて、座標出力閾値を連続的に大きな値に設定するように構成されてもよい。この場合には、座標出力閾値設定部１６１ａは、たとえば、回動角度と座標出力閾値とが正の比例関係にある比例式を用いて、回動角度に対応する座標出力閾値を設定するようにすればよい。
【００４６】
また、座標出力閾値設定部１６１ａは、タッチセンサ１２２によって検出される静電容量に対応する電流値などの電気的特性を、座標出力閾値として設定することに限定されるものではなく、表示面１２１ａに対するタッチ操作の継続時間を座標出力閾値として設定するように構成されてもよい。この場合には、座標出力閾値設定部１６１ａは、姿勢検出部１１によって検出された回動角度が大きくなるに連れて、タッチ操作の継続時間の長さで表される座標出力閾値を段階的または連続的に大きな値に設定する。
【００４７】
座標出力実行部１６１ｂは、タッチセンサ１２２によって電気的特性（静電容量など）の変化量が検出されると、検出された電気的特性（静電容量など）の変化量が、座標出力閾値設定部１６１ａによって設定された座標出力閾値以上の場合には、表示面１２１ａに対してタッチ操作された位置を表す座標を出力し、座標出力閾値未満の場合には、座標を出力しないように構成されている。
【００４８】
表１に示される座標出力閾値テーブルを参照して具体的に説明すると、座標出力実行部１６１ｂは、変位姿勢のレベルが「レベル１」である場合、タッチセンサ１２２によって検出される静電容量に対応する電流値が「１０ｍＡ」以上であると、表示面１２１ａに対してタッチ操作された位置を表す座標を出力する。以下同様に、座標出力実行部１６１ｂは、変位姿勢のレベルが「レベル２」である場合には電流値が「２０ｍＡ」以上、「レベル３」である場合には電流値が「３０ｍＡ」以上、「レベル４」である場合には電流値が「４０ｍＡ」以上であるときに、表示面１２１ａに対してタッチ操作された位置を表す座標を出力する。
【００４９】
表示制御部１６２は、表示部１２１を制御する機能を有し、座標出力部１６１の座標出力実行部１６１ｂによって出力された座標に対応した予め定められる画像表示処理を実行し、該画像表示処理に応じた画像を表示部１２１の表示面１２１ａに表示させる。たとえば、表示制御部１６２は、座標出力実行部１６１ｂによって出力された座標に対応した、アプリケーションプログラムを実行するなどの画像表示処理を実行し、このような場合には、アプリケーションプログラムに対応したアプリケーション画像が表示面１２１ａに表示されるように、表示部１２１を制御する。
【００５０】
図４は、制御部１６が誤操作防止制御プログラムを実行することによって行われる誤操作防止制御処理の処理手順を示すフローチャートである。
【００５１】
ステップｓ１では、姿勢検出部１１は、表示部１２１の姿勢が、表示面１２１ａを鉛直上方に向けた水平姿勢から、第１軸線Ｌ１および第２軸線Ｌ２まわりに回動して変位姿勢に変化したときの回動角度を検出し、その検出結果を制御部１６へ出力する。
【００５２】
次に、ステップｓ２では、制御部１６の座標出力部１６１が有する座標出力閾値設定部１６１ａは、記憶部１５に予め記憶されている座標出力閾値テーブルを参照して、姿勢検出部１１から出力された回動角度に対応した座標出力閾値を取得して、その取得した座標出力閾値を、タッチ操作に対応する座標を出力するための閾値として設定する。
【００５３】
次に、ステップｓ３では、タッチセンサ１２２は、ユーザによって表示面１２１ａに対してタッチ操作されたときの、表示面１２１ａに生じる電気的特性（静電容量など）の変化量を検出し、その検出結果を制御部１６へ出力する。
【００５４】
次に、ステップｓ４では、制御部１６の座標出力部１６１が有する座標出力実行部１６１ｂは、タッチセンサ１２２から出力された電気的特性の変化量が、座標出力閾値設定部１６１ａによって設定された座標出力閾値以上であるか否かを判断する。座標出力実行部１６１ｂが座標出力閾値以上であると判断した場合にはステップｓ５に進む。また、座標出力閾値未満であると判断した場合にはステップｓ１に戻り、タッチ操作に対応した座標を出力しない。
【００５５】
ステップｓ５では、座標出力実行部１６１ｂは、ステップｓ３においてタッチセンサ１２２が電気的特性の変化量を検出したタッチ操作に対応した座標を、出力する。
【００５６】
そして、ステップｓ６では、表示制御部１６２は、表示部１２１を制御し、座標出力実行部１６１ｂによって出力された座標に対応した画像表示処理を実行し、該画像表示処理に応じた画像を、表示面１２１ａに表示させる。
【００５７】
以上のように構成される本実施形態の携帯端末装置１によれば、タッチセンサ１２２によって検出された、タッチ操作に対応する表示面１２１ａに生じる電気的特性（静電容量など）の変化量が、姿勢検出部１１によって検出された回動角度に関連付けられて設定された座標出力閾値以上の場合に、タッチ操作に対応した座標が出力され、その出力された座標に対応した画像表示処理が実行されて、該画像表示処理に応じた画像が表示部１２１の表示面１２１ａに表示される。すなわち、本実施形態の携帯端末装置１では、表示面１２１ａを鉛直上方に向けた水平姿勢から、不安定な姿勢の変位姿勢に変化したときの回動角度に基づいて、タッチ操作に対応した座標が出力され、その出力された座標に基づいて、タッチ操作に対応した画像表示処理が実行される。したがって、携帯端末装置１が不安定な変位姿勢で把持されて使用され、たとえば、携帯端末装置１を落下させないように持ち直したりしたときに、表示面１２１ａに対して瞬間的な意図しないタッチ操作が行われた場合であっても、意図しない処理が実行されてしまうという誤操作を防止することができる。
【００５８】
また、記憶部１５に記憶されている座標出力閾値テーブルは、回動角度が大きくなるに連れて、座標出力閾値が大きくなるように、回動角度と座標出力閾値とが関連付けられたテーブルである。姿勢検出部１１によって検出された回動角度と関連付けられた座標出力閾値を記憶部１５から取得し、その取得した座標出力閾値を座標出力のための閾値として設定する座標出力閾値設定部１６１ａは、前記のように関連付けられた座標出力閾値テーブルを参照することによって、姿勢検出部１１によって検出された回動角度が大きくなるに連れて、大きな値の座標出力閾値を設定することになる。水平姿勢からの回動角度が大きくなるに連れて、携帯端末装置１が落下してしまう可能性が高くなり、これに伴って、表示面１２１ａに対して瞬間的な意図しないタッチ操作が行われる可能性が高まる。そこで、姿勢検出部１１によって検出された回動角度が大きくなるに連れて、大きな値の座標出力閾値を座標出力閾値設定部１６１ａが設定することによって、意図しないタッチ操作が行われる可能性が高くなることに応じて、意図しない画像表示処理が実行されてしまうのをより確実に防止することができる。
【００５９】
上記の実施形態では、誤操作防止制御プログラムは、半導体メモリによって実現される記憶部１５に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００６０】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００６１】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００６２】
１  携帯端末装置
１１  姿勢検出部
１２  タッチパネル
１３  移動体通信モジュール
１４  音声処理部
１５  記憶部
１６  制御部
１７  筐体
１２１  表示部
１２１ａ  表示面
１２２  タッチセンサ
１６１  座標出力部
１６１ａ  座標出力閾値設定部
１６１ｂ  座標出力実行部
１６２  表示制御部
【図１】
2015018339.tif 000004
【図２】
2015018339.tif 000005
【図３】
2015018339.tif 000006
【図４】
2015018339.tif 000007